(57)【要約】【課題】  単一のモータ駆動により、乗員のシートベルト装着状態、車両走行時の種々の状況に対応したシートベルト巻き取り状態を実現し、シートベルト装着時の快適性、安全性を向上させる。【解決手段】  ベースフレーム３にスプール軸１５を介して軸支され、リターンスプリングの巻き戻し解放力により、外周にウェビングＷが巻き取られるスプール２を、減速機構１０を介したモータ５の駆動によって回転させてウェビングＷを巻き取るようにした。その際、減速機構１０は異なる減速比に設定された２系統の減速機構１０Ａ、１０Ｂとから構成され、いずれかの減速機構に、制御部９を介して外部検知部４０、５０及び外部信号センサから得られた駆動信号に対応して切り替る切替手段７０と、共有されている伝達要素が設定された回転トルク以下の回転を伝達するようにした抵抗トルク手段６０とを備えた。【選択図】  図５
2010030592.tif 000002
【特許請求の範囲】
【請求項１】
ベースフレームにスプール軸を介して軸支され外周にウェビングが巻き取られるスプールを、リターンスプリングの巻き戻し解放力により前記ウェビングを巻き取るとともに、減速機構を備えたモータ駆動により巻き取りを切り替えて行うようにしたシートベルト巻取装置であって、前記減速機構は所定の減速比に設定された伝達経路と、該伝達経路を、外部から得られた駆動信号に対応してスプール軸に連結する切替手段とを備えたことを特徴とするシートベルト巻取装置。
【請求項２】
前記駆動信号は、乗員のシートベルト装着動作において得られる状態信号及び／または車両走行時に、該車両に搭載された検知手段から得られる外部信号とをもとに設定されることを特徴とする請求項１記載のシートベルト巻取装置。
【請求項３】
前記外部信号を受け、前記切替手段の動作を行い、前記リターンスプリングにより大減速比で前記ウェビングの巻き取りを行うようにしたことを特徴とする請求項２記載のシートベルト巻取装置。
【請求項４】
前記伝達経路は、前記外部信号を受けた際の駆動信号により前記切替手段を動作させて前記減速機構内に設けられた伝達要素の一部を固定して切り替えられるようにしたことを特徴とする請求項１記載のシートベルト巻取装置。
【請求項５】
前記切替手段は、爪機構からなり、該爪機構が遊星ギアユニットの内歯ギアの外周に形成されたラチェット歯に係止して該内歯ギアの回転を固定するようにしたことを特徴とする請求項１記載のシートベルト巻取装置。
【請求項６】
前記切替手段は、爪機構からなり、回転軸に軸支された２個のパウルが協働して前記内歯ギアのラチェット歯に係止して前記内歯ギアの回転を固定するようにしたことを特徴とする請求項５記載のシートベルト巻取装置。
【請求項７】
前記２個のパウルのうち、第１のパウルがソレノイドの励磁により回転軸回りに回動し、前記ラチェット歯との係止する動作を経て、第２のパウルを前記ラチェット歯に係止させるようにしたことを特徴とする請求項６記載のシートベルト巻取装置。
【請求項８】
前記ソレノイドの消磁により第１のパウルに連結された付勢バネが伸長し、前記第２のパウルの前記ラチェット歯への係止が解かれるようにしたことを特徴とする請求項７記載のシートベルト巻取装置。
【請求項９】
乗員のシートベルト装着動作において得られる状態信号及び／または車両走行時に該車両に搭載された検知手段から得られる外部信号を受け、モータの回転トルクを、該状態信号または外部信号に対応した所定の減速比に切り替え、あるいは前記モータ駆動状態を制御して所定の駆動トルク値に変更してスプール回転を制御し、前記ウェビングを前記スプールに巻き取るようにしたことを特徴とするシートベルト巻取装置の制御方法。
【請求項１０】
巻き取り状態にあるウェビングの引き出しを検知して得られた状態信号をもとに、モータの回転を停止させるようにしたことを特徴とする請求項９に記載のシートベルト巻取装置の制御方法。
【請求項１１】
トングがバックルに装着されたことを検知して得られた状態信号をもとに、乗員にベルトフィットさせる程度の駆動トルク値で前記モータを駆動して前記ウェビングを巻き取るようにしたことを特徴とする請求項９に記載のシートベルト巻取装置の制御方法。
【請求項１２】
前記ベルトフィットが終了したことを検知して得られた状態信号をもとに、前記モータの駆動トルク値を減少させ、あるいはモータ駆動を停止させるようにしたことを特徴とする請求項１１に記載のシートベルト巻取装置の制御方法。
【請求項１３】
ウェビングの引き出しが中断したことを検知して得られた状態信号をもとに、前記モータを駆動させ前記ウェビングの巻き取りを再開させるようしたことを特徴とする請求項９に記載のシートベルト巻取装置の制御方法。
【請求項１４】
トングがバックルに装着された状態で、ウェビングが引き出され、その引き出しが中断した状態からウェビングの巻き取りが再開され、その後ベルトフィットさせた後にモータの駆動トルク値を減少させ、あるいはモータ駆動を停止させるようにしたことを特徴とする請求項９に記載のシートベルト巻取装置の制御方法。
【請求項１５】
前記ベルトフィット動作におけるモータの駆動トルク値は最初にトングが装着された際のベルトフィット動作における値より低く設定されたことを特徴とする請求項１４に記載のシートベルト巻取装置の制御方法。
【請求項１６】
トングがバックルから分離されたことを検知して得られた状態信号をもとに、前記モータを駆動して前記ウェビングを巻取装置内に巻き取るようにしたことを特徴とする請求項９に記載のシートベルト巻取装置の制御方法。
【請求項１７】
前記ウェビングの引き出しを検知すると同時あるいは一定時間経過後に、前記モータを駆動する制御回路の電源をＯＮ状態とするようにしたことを特徴とする請求項９に記載のシートベルト巻取装置の制御方法。
【請求項１８】
前記ウェビングが巻き取り完了したことを検知すると同時あるいは一定時間引き出し動作がないことを検知して、前記モータを駆動する制御回路の電源をＯＦＦ状態とするようにしたことを特徴とする請求項９に記載のシートベルト巻取装置の制御方法。
【請求項１９】
前記ウェビング巻き取り完了後に一定経過時間間隔をとってウェビングの巻き取りか必要かを判定し、必要に応じた巻き取り動作を行うようにしたことを特徴とする請求項９記載のシートベルト巻取装置の制御方法。
【請求項２０】
前記モータ駆動によるウェビング巻き取り速度を、モータ速度制御により可変切替させるようにしたことを特徴とする請求項９記載のシートベルト巻取装置の制御方法。
【請求項２１】
得られた外部信号に応じて前記モータの駆動トルク値を一定値あるいは途中可変値に切替手段を介して切り替え、前記モータ駆動により前記ウェビングの巻き取りを行うようにしたことを特徴とする請求項９に記載のシートベルト巻取装置の制御方法。
【請求項２２】
前記切替手段を解除させずに、切り替え後のモータの駆動状態を保持するモードを備えたことを特徴とする請求項２０に記載のシートベルト巻取装置の制御方法。
【請求項２３】
前記切替手段を解除させずに、切り替え後のモータの駆動状態を、減速機構のトルク抵抗手段を介して保持させるモードを備えたことを特徴とする請求項２１に記載のシートベルト巻取装置の制御方法。
【請求項２４】
前記モードは車両走行時のホールドモードあるいはチャイルドシート固定モードであることを特徴とする請求項２３に記載のシートベルト巻取装置の制御方法。
【請求項２５】
前記外部信号に対応した前記モータの動作指令信号を、各座席に設けられた各シートベルト巻取装置に対して独立あるいは斉一情報として各座席を認識した通信方法を介して伝達し、各座席ごとに所定のモード設定を行えるようにしたことを特徴とする請求項２１に記載のシートベルト巻取装置の制御方法。
【発明の詳細な説明】
【技術分野】
【０００１】
本発明はシートベルト巻取装置及び制御方法に係り、特に乗員のシートベルト装着状態や外部からの信号によりその駆動状態を変化させることができるモータ巻取方式によるシートベルト巻取装置及び制御方法に関する。
【背景技術】
【０００２】
自動車等に装備されるシートベルト巻取装置では、乗員が着席してシートベルトを引き出し、トングをバックル装置に締結した際に、その余分な引き出し分を吸収し、正常装着した状態で乗員の胸部等に不必要な圧迫感を与えないようにすることが好ましい。一般にシートベルトの巻取装置では、ベルト巻き取りに単一のリターンスプリングの付勢力が利用されている。装着時における乗員の胸部への圧迫感を小さくするために付勢力の弱いスプリングを使用すると、ベルト巻取り時（収容時）の巻込み力が弱くなり、操作性、格納性が低下する。反対に、緊急時に充分な巻込み力を発揮するために付勢力の強いスプリングを使用すると、正常装着時における乗員の胸部への圧迫感が大きくなってしまうという問題があった。
【０００３】
また、従来のシートベルト巻取装置では、単一のリターンスプリングが内蔵されているので、ウェビング（以下、本明細書ではシートベルトのベルト自体をさす際にはウェビングと記す。）の引き出し量が増すにつれてリターンスプリングが巻回されてその付勢力が増大し、ウェビングの引き出し量が増すにつれて、引き出し力も増大するという問題もある。
【０００４】
この種の単一のリターンスプリングを用いたことによって生じるベルト巻き取り時の問題点を解決する一手段として、出願人はらせん状案内溝を有する円錐台形状の２個のローププーリで構成されているテンションレデューサ機構等を開発している（特許文献１参照）。
【０００５】
一方、シートベルト巻取装置の機能として、緊急時に乗員を確実に拘束して保護する機能を果たす以上に、通常のベルト装着時において、その装着時の快適性（コンフォート性能）を高めたり、車両走行時において、自車の前後を走行している車両との車間等を検知してシートベルトのテンション制御を内蔵した電動モータで行うようにした乗員拘束保護システムのためのシートベルト巻取装置も開発している（特許文献２参照）。
【先行技術文献】
【特許文献】
【０００６】
【特許文献１】特許第２７１１４２８号公報
【特許文献２】特開平９−１３２１１３号公報
【発明の概要】
【発明が解決しようとする課題】
【０００７】
ところで、特許文献２で開示したシートベルト巻取装置では、テンション制御のための駆動装置として超音波モータを採用し、主巻き取り機構としてバネ機構を備えている。このモータは乗員がシートベルトを装着する際のシートベルトのテンション調整や、走行時に入力された外部信号に対してシートベルトの巻き取り、引き出しの制御に使用されていた。このため、モータ駆動を正逆回転させる必要があるため、制御回路が複雑になっていた。また、シートベルト巻き取りも２系統になり、入力された外部信号に対しての巻き取り動作の切替えが滑らかに行えないという問題があった。
【０００８】
また、車載された各種のセンサからの外部信号をモータ駆動のトリガーとした場合、上述のシートベルト巻取装置に用いられているモータ減速機構では減速可能範囲が限定されるため、幅広い巻き取りモードに対応することができないと言う問題もある。そこで、本発明の目的は上述した従来の技術が有する問題点を解消し、シンプルな制御回路及び駆動機構を用いたモータ駆動のみでシートベルトを巻き取るようにし、乗員の装着状態、走行時の外部信号に応じてその巻き取りモードを幅広く設定できるようにしたコストを抑えたシートベルト巻取装置及びその制御方法を提供することにある。
【課題を解決するための手段】
【０００９】
上記目的を達成するために、本発明はベースフレームにスプール軸を介して軸支され外周にウェビングが巻き取られるスプールを、リターンスプリングの巻き戻し解放力により回転させて前記ウェビングを巻き取るようにしたシートベルト巻取装置であって、前記減速機構は所定の減速比に設定された伝達経路と、該伝達経路を、外部から得られた駆動信号に対応してスプール軸に連結す切替手段とを備えたことを特徴とする。
【００１０】
前記駆動信号は、乗員のシートベルト装着動作において得られる状態信号及び／または車両走行時に、該車両に搭載された検知手段から得られる外部信号とをもとに設定されるようにすることが好ましい。
【００１１】
前記外部信号を受け、前記切替手段の動作を行い、前記リターンスプリングにより大減速比で前記ウェビングの巻き取りを行うようにすることが好ましい。
【００１２】
前記伝達経路は、前記外部信号を受けた際の駆動信号により前記切替手段を動作させて前記減速機構内に設けられた伝達要素の一部を固定して切り替えられるようにすることが好ましい。
【００１３】
前記切替手段は、前記爪機構からなり、該爪機構が遊星ギアユニットの内歯ギアの外周に形成されたラチェット歯に係止して該内歯ギアの回転を固定することが好ましい。
【００１４】
上述の巻取装置を効率よく作動させるための発明として、乗員のシートベルト装着動作において得られる状態信号及び／または車両走行時に該車両に搭載された検知手段から得られる外部信号を受け、モータの回転トルクを、該状態信号または外部信号に対応した所定の減速比に切り替え、あるいは前記モータ駆動状態を制御して所定の駆動トルク値に変更してスプール回転を制御し、前記ウェビングを前記スプールに巻き取るようにしたことを特徴とする。
【００１５】
巻き取り状態にあるウェビングの引き出しを検知して得られた状態信号をもとに、モータの回転を停止させることが好ましい。
【００１６】
トングがバックルに装着されたことを検知して得られた状態信号をもとに、乗員にベルトフィットさせる程度の駆動トルク値で前記モータを駆動して前記ウェビングを巻き取ることが好ましい。
【００１７】
前記ベルトフィットが終了したことを検知して得られた状態信号をもとに、前記モータの駆動トルク値を減少させ、あるいはモータ駆動を停止させることが好ましい。
【００１８】
ウェビングの引き出しが中断したことを検知して得られた状態信号をもとに、前記モータを駆動させ前記ウェビングの巻き取りを再開させるようにすることが好ましい。
【００１９】
トングがバックルに装着された状態で、ウェビングが引き出されその引き出しが中断した状態からウェビングの巻き取りが再開され、その後ベルトフィットさせた後にモータの駆動トルク値を減少させ、あるいはモータ駆動を停止させることが好ましい。
【００２０】
前記ベルトフィット動作におけるモータの駆動トルク値は最初にトングが装着された際のベルトフィット動作における値より低く設定することが好ましい。
【００２１】
前記トングがバックルから分離されたことを検知して得られた状態信号をもとに、前記モータを駆動して前記ウェビングを巻取装置内に巻き取ることが好ましい。
【００２２】
前記ウェビングの引き出しを検知すると同時あるいは一定時間経過後に、前記モータを駆動する制御回路の電源をＯＮ状態とすることが好ましい。
【００２３】
前記ウェビングが巻き取り完了したことを検知すると同時あるいは一定時間引き出し動作がないことを検知して、前記モータを駆動する制御回路の電源をＯＦＦ状態とすることが好ましい。
【００２４】
得られた外部信号に応じて前記モータの駆動トルク値を一定値あるいは途中可変値に切替手段を介して切り替え、前記モータ駆動により前記ウェビングの巻き取りを行うことが好ましい。
【００２５】
前記切替手段を解除させずに、切り替え後のモータの駆動状態を保持するモードを備えることが好ましい。
【００２６】
前記切替手段を解除させずに、切り替え後のモータの駆動状態を、減速機構のトルク抵抗手段を介して保持させるモードを備えることが好ましい。
【００２７】
前記モードは車両走行時のホールドモードあるいはチャイルドシート固定モードとすることが好ましい。
【００２８】
また、前記外部信号に対応した前記モータの動作指令信号を、各座席に設けられた各シートベルト巻取装置に対して独立あるいは斉一情報として各座席を認識した通信方法を介して伝達し、各座席ごとに所定のモード設定を行えるようにすることが好ましい。
【発明の効果】
【００２９】
以上に述べたように、適応性の高い減速機構を備えた単一モータを各種の状況を設定して制御したり、公知の巻取機構と組み合わせることで、ウェビングの巻き取り状態を様々な範囲において適応させることができ、シートベルトを装着した乗員の快適性、安全性を確実に確保することができるという効果を奏する。
【図面の簡単な説明】
【００３０】
【図１】本発明によるシートベルト巻取装置の一実施の形態の構成要素を示した分解斜視図。
【図２】本発明のシートベルト巻取装置の減速機構の構成要素を示した分解斜視図。
【図３】減速機構の内部の伝達要素を端面で示した横断面図。
【図４】減速機構の内部の伝達要素を断面で示した横断面図。
【図５】シートベルト巻取装置の巻取機構の変形例を示した分解斜視図。
【図６】シートベルト巻取装置の巻取機構の別の変形例を示した分解斜視図。
【図７】本発明によるシートベルト巻取装置を構成する機構群及び装置を制御するための構成要素を模式的に示したシステム構成図。
【図８】ウェビング引き出し検知部とスプール回転検知部の構成を示した端面図。
【図９】爪機構（第１構成例）の構成及びその動作を模式的に示した状態説明図。
【図１０】爪機構（第２構成例）の構成を示した部分分解斜視図。
【図１１】図１０に示した爪機構の構成及びその動作を模式的に示した状態説明図。
【図１２】減速機構の切替機構の変形例を模式的に示した説明図。
【図１３】減速ギアと滑り機構の連係動作状態を示した状態説明図。
【図１４】遊星ギアユニットにおける切替動作状態を示した状態説明図。
【図１５】ウェビング巻取り時にウェビングを引き出した状態を示した状態説明図。
【図１６】ウェビング巻き取り制御における動作フローを示したフローチャート。
【図１７】設定モード処理の動作フローを示したフローチャート。
【図１８】ベルト装着時の弛み防止のための動作フローを示したフローチャート。
【図１９】ウェビング巻き取り状態における電流、繰り出し量及びウェビング張力の関係を示した模式状態変化図。
【図２０】ウェビングの引き出し、巻き取りに応じたモータ速度制御状態を示した模式状態変化図。
【図２１】減速機構の全体構成を模式的に示した説明図。
【図２２】第１減速機構の変形例を模式的に示した説明図。
【図２３】第２減速機構の変形例を模式的に示した説明図。
【図２４】減速機構の切替機構の変形例を模式的に示した説明図。
【図２５】滑り機構の変形例を模式的に示した説明図。
【図２６】滑り機構の変形例を模式的に示した説明図。
【図２７】ウェビング引き出し検知部の変形例を模式的に示した説明図。
【発明を実施するための形態】
【００３１】
以下、本発明のシートベルト巻取装置及びその制御方法の一実施の形態について、添付図面を参照して説明する。
［シートベルト巻取装置本体の構成］
以下、本発明のシートベルト巻取装置の構成について、添付図面を参照して説明する。図１は、本発明のシートベルト巻取装置１のアッセンブリとしてのウェビング巻き取りリール部２Ａ、リールロック機構４、駆動源としてのモータ５と減速機構を収容する減速機構ケーシング１１、減速機構１０（図２）の一部を構成する遊星ギアユニット３０及びモータ制御用の検知部４０、５０の概略構成を示した分解斜視図である。図２はそのうちの減速機構１０の内部構成を示した分解斜視図である。
【００３２】
図１においては、公知機構としてのウェビング巻き取りリール部２Ａとリールロック機構４とは一体的に図示されている。ウェビング巻き取りリール部２Ａは、ウェビングＷが巻き取られるスプール２と、このスプール２のスプール軸１５を回転自在に軸支するベースフレーム３とからなり、スプール２の回転を抑止するリールロック機構４（外観形状のみ図示）がベースフレーム３に一体的に取り付けられている。本実施の形態では駆動源として単一の可変速のＤＣモータ５が装備されている。ＤＣモータ５を回転制御するための制御部９（図７参照）には図示しない回路デバイスが用いられている。さらにＤＣモータ５の回転トルクが伝達される駆動機構として減速機構ケーシング１１内に減速機構１０が設けられている。
【００３３】
この減速機構１０は、第１減速機構１０Ａと第２減速機構１０Ｂの２系統の駆動機構からなり、いずれか１系統の駆動機構を介してスプール２の巻き取り動作を実現するようになっている。このときモータ等の１個の駆動源から伝達される回転トルクが２系統を介して直結するのを防止するために、所定の抵抗トルクを介在させて一方の伝達トルクが滑るようにして遮断される抵抗トルク手段６０として滑り機構（以下、符号６０を付す。）が設けられている。この滑り機構６０を介在させることにより、減速比の異なる駆動機構を、条件に応じて切替手段７０により切り替えて使用する。
【００３４】
ベースフレーム３は図１に示したように、平面形状が略コ字形をなした鋼板加工品で、左右の側面壁３ａにはスプール２の端部フランジが遊嵌される支持孔３ｂが形成されている。この支持孔３ｂの周縁３ｃには図示しない略鋸歯状部（図示せず）が形成され、この周縁３ｃに公知のリールロック機構４のロック動作により揺動する係止片（図示せず）が係止するようになっている。この係止動作により、ウェビングＷが巻取装置１から急激に引き出された際に、スプール２の回転をロックし、ウェビングＷの引き出しが阻止される。ベースフレーム３の他方の側面壁３ａにはモータ５の回転駆動力を減速する減速機構１０のアッセンブリが収容された減速装置ケーシング１１が遊星ギアユニットを介して取り付けられている。減速装置ケーシング１１の外側端とリールロック機構４の外側端とにはそれぞれウェビング引き出し検知部４０と、スプール回転検知部５０とが取り付けられている。減速装置ケーシング１１の内面の下部にはモータギア６が挿入され、内部の減速機構１０のアッセンブリ（その構成は後述）に所定回転駆動力を伝達できるようになっている。なお、モータ５を収容するケーシングは図の簡単化のために図示を省略している。
【００３５】
［減速機構の構成］
減速機構１０の構成について図２〜図４を参照して説明する。減速機構１０は前述したように、第１減速機構１０Ａと第２減速機構１０Ｂの２系統が、一部の伝達要素を共有して一体化して構成されたものである。本実施の形態ではこの減速機構１０の切り替えを行う切替手段７０として電磁ソレノイド７１で動作する爪機構７０が用いられている。
【００３６】
第１減速機構１０Ａの構成要素について図２〜図４を参照して説明する。図３は、シートベルト巻取装置１のうち、減速機構１０の伝達要素の噛合状態を説明するために、各要素（歯車）を端面で詳細に示した内部断面図、図４は減速機構１０の伝達要素の支持状態を説明するために各要素（歯車）を断面で詳細に示した内部断面図である。まず、モータ５は、図１、図３に示したようにモータギア６が減速機構ケーシング１１に形成された下部穴に挿入された状態でベースフレーム下端に堅固に取り付けられている。モータギア６はケーシング１１内面の回転軸（図示せず）に軸支された２段ギア１２に噛合されている。この２段ギア１２は図２において２枚構成となっているが、一体ギアとして構成してもよい。２段ギア１２の小ギア１２ａは減速ギア１３に噛合している。この減速ギア１３の回転軸ボス１４はスプール軸１５の突出軸１５ａに遊嵌する太陽ギア３１（遊星ギアユニット３０については後述する。）と同軸的に一体成形された六角形断面ブシュ１６に嵌着され、減速ギア１３全体が突出軸１５ａに軸支されている。減速ギア１３の外側面には扁平な凹所１３ａが全面形成されている。この凹所１３ａの側面に公知のロータリーダンパ１７が固着され、さらにロータリーダンパ１７のローター軸１８にギア１９が軸支されている。このロータリーダンパ１７の内部にはオイルが封入されており、このオイル内を回転するローターベーン（図示せず）の粘性抵抗によってローター軸１８に一定の抵抗トルクが付与されている。さらに減速ギア１３の凹所１３ａには突出軸１５ａ端に形成された六角形スプライン１５ｂに定着されたスプール軸入力ギア２０が収容されている。このスプール軸入力ギア２０の回転によりスプール軸１５の軸端に所定の回転トルクが付与される。
【００３７】
さらに、このスプール軸１５に同軸的に装着される遊星ギアユニット３０の構成について図１、図３、図４を参照して説明する。この遊星ギアユニットは図１の分解斜視図に明確に示されているように、減速ギア１３と同数回転する太陽ギア３１に噛合する２枚の遊星ギア３２と、これら遊星ギア３２を軸支し、太陽ギア３１と同軸回転可能なキャリア３３と、遊星ギア３２が内接、内歯３７に噛合する内歯ギア３４から構成されている。これらのうち、キャリア３３は背面側に六角形状をなすソケット部３５を有し、このソケット部３５がスプール軸１５を挿通させた際に六角形をなす拡径部１５ｃに嵌着されるようになっている。さらに内歯ギア３４の外周にはラチェット歯３６が全周にわたって形成されている。このラチェット歯３６と係止する切替機構としての爪機構７０については後に詳述する。このラチェット歯３６に爪機構７０が係止することで内歯ギア３４が固定され、太陽ギア３１から入力された回転は、遊星ギア３２の公転とともに回転するキャリア３３に伝達され、ソケット部３５を介してスプール軸１５の拡径部１５ｃを大減速比で回転させることができる。
【００３８】
［巻取機構の変形例］
（渦巻きバネ併用タイプ）
次に、従来の渦巻きバネをリターンスプリングとして巻き取り機構中に組み込んだ変形例について図５を参照して説明する。この変形例では図２の構成に対して通常使用時におけるスプール軸の巻き取りにリターンスプリングの巻き戻り解放力を利用するようになっている。スプール軸１５ａの突端にはコッター１５ｄが形成され、スプリングブシュ１０１が嵌着されるようになっている。スプリングブシュ１０１には渦巻きバネのリターンスプリング１０２の内周端１０２ａが定着される。これによりリターンスプリング１０２の巻き、巻き戻り動作によるトルクをスプール軸１５への伝達する役割を果たす。さらにリターンスプリング１０２全体を覆うようにスプリングカバー１０３がケーシング１１にボルト止め（図示せず）されている。このような構成からなるシートベルト巻取装置では、通常の使用時ではリターンスプリング１０３によるウェビング巻き取りが行われ、車両走行時にシートベルトの引き込みが必要な状態で併設されたモータ５を駆動させたウェビング巻き取りを行うこともできる。
【００３９】
（省機能フェースギア駆動タイプ）
図６は上述した大減速比機能を省略し、乗員のシートベルト装着時の快適性が得られるようにした減速機構の変形例の部分構成を示した部分斜視図である。同図に示したように、スプール軸１５の先端１５ａはケーシング１１内に収容された高減速比のフェースギア１１０のボス１１０ａを貫通し、図示しないリターンスプリング（図５参照）の内周端に固着されている。フェースギア１１０には所定の円錐ピッチ面が形成された大直径ギアが用いられている。一方、スプール軸１５とその回転軸とが直交あるいは所定傾角をなす食違い軸を構成するように電動モータ１１２がケーシング１１内に収容されている。この電動モータ１１２の回転軸端にはフェースギア１１０と噛合する駆動歯車１１４が装着されている。電動モータ１１２の回転はフェースギア１１０に減速されて伝達され、スプール軸１５の低速回転が実現する。この電動モータ１１２の駆動は乗員のシートベルト装着時に行われ、これによりシートベルト装着時に余分に引き出されたウェビング（図示せず）を乗員の胸部に圧迫感のない程度まで引き込み、乗員の体型に軽くフィットさせることができる。走行時のウェビングの巻き取りは上述したリターンスプリング等により行う。このように大減速比の巻き取り機能を省略したことにより低廉で小型の巻取装置を提供することができる。
【００４０】
［制御部を中心として機能する装置全体の構成］
以上に説明したシートベルト巻取装置の各機構と、これらの機構を連係づけて動作させるための制御部及び制御部に必要な駆動信号を送る各種検知部、検知センサの模式構成を図７に示した。図７には上述した巻取装置１と、図１〜図４に示したように巻取装置１内に収容された各機構に所定の動作指令を行う装置外の制御部９と、この制御部９に送られる乗員のシートベルト装着状態や走行時の車両の安全状態を知らせる外部信号センサとが模式的に示されている。すなわち、巻取装置１内にはスプール軸１２を介してベースフレーム３に軸支されたスプール２が配置され、このスプール２にウェビングＷが巻回されるようになっている。このスプール２の巻き取り動作は、モータ５の回転トルクを減速比の異なる２系統の伝達経路としての第１減速機構１０Ａ、第２減速機構１０Ｂと、この伝達経路を制御部９からの駆動信号に応じて切り替えるための切替手段７０と、伝達される回転トルクの大きさにより第１減速機構１０Ａと第２減速機構１０Ｂのいずれかの経路を経由するように経路上に設けられた抵抗トルク手段６０と、モータ駆動あるいはウェビングＷの引き出しによるスプール２の回転を検知するウェビング引き出し検知部４０と、スプール回転検知部５０とが備えられている。そして、車内の一部にはこの巻取装置１のモータ５に駆動信号を出力する制御部９が装備されている。この制御部９には入力Ｉ／Ｆ（図示せず）を介してウェビング引き出し検知部４０、スプール回転検知部５０、ウェビングのトングが装着されるバックル７内に内蔵され、ウェビングのトングがバックルに装着されたことを知らせるバックルスイッチ８及び走行時に車両の様々状態を知らせる複数の外部信号センサＳ1、…Ｓnが接続されており、乗員の様々なシートベルト装着状態に応じて得られる状態信号、走行時の様々な状態において得られる外部信号が入力される。制御部９ではこれらの入力信号をもとにＣＰＵ電源、モータ駆動電源のＯＮ／ＯＦＦ制御がなされ、またモータ回転制御信号、減速機構の切替のための切替信号等の駆動信号が生成され、これらの駆動信号によりモータ駆動制御が行われる。
【００４１】
［ウェビング引き出し検知部とスプール回転検知部の構成と動作］
次に、ウェビング引き出し検知部４０とスプール回転検知部５０の構成について図８を参照して説明する。図８は両検知部を説明するために、それぞれの検知部が取り付けられているシートベルト巻取装置１の側面を対向させた状態で模式的に示したものである。図８左半図に示したように、このウェビング引き出し検知部４０は扇形形状したスイッチプレート４１と、スイッチプレート４１を要位置で軸支する回動ピン４２と、回動ピン４２から短い腕長で延びる接点アーム４３と、接点アーム４３の回動により接点がＯＮ／ＯＦＦされるリミットスイッチ４４とから構成されている。図３（図４）に示したように、スイッチプレート４１は両端にガイド４１ａが設けられ、その回動範囲（角度）が規制されている。この範囲で前述したスプール軸入力ギア２０の端部のリング状溝２１に円弧状縁辺４１ｂが接触している。円弧状縁辺４１ｂは縁辺に沿った内側に円弧溝４１ｃが形成されており、円弧状縁辺４１ｂがリング状溝２１に当接するとわずかに撓み、押圧力が付与され、リング状溝２１の回転に伴い、滑ることなくスイッチプレート４１が回動できる。同図は初期位置にあったスイッチプレート４１（２点鎖線）がスプール２のＣＷ方向への回動（ウェビングＷの引き出しに対応）に伴い、スイッチプレート４１がＣＣＷ方向に支点周りに回動し、リミットスイッチ４４のＯＮ状態が示されている。
【００４２】
このウェビング引き出し検知部４０のリミットスイッチ４４がＯＮになったときの作用について説明する。通常の場合、本装置のように、モータ駆動がＣＰＵの動作により実現するものである場合、乗用車のイグニションキーのＯＮ動作を、ＣＰＵ電源ＰｗをＯＮ状態とするトリガーとすることが考えられる。しかし、本装置においてはウェビング引き出しという動作が行われた際にＣＰＵ電源ＰｗをＯＮするのがもっとも効率的であり、装置のコンパクト化につながる。そこで、ウェビングが引き出された瞬間にＣＰＵの電源ＰｗがＯＮするタイミングをウェビング引き出し検知部４０で検知するようにした。
【００４３】
一方、リールロック機構４の外側にはスプール回転検知部５０が設けられている。このスプール回転検知部５０はスプール２の回転方向、すなわちウェビングＷの引き出しあるいはウェビングＷの巻き取り方向の検知と停止状態とを検出できる。スプール回転検知部５０は図１、図８に示したように、スプール２と同軸回転するスプール軸１５の端部に取り付けられたギア５１と、このギア５１から得られる回転を減速する３枚のギアトレイン５２と、最終的に減速された回転角を抵抗変化量として検知する可変抵抗５３とからなる。この可変抵抗５３を介して得られる電圧の変化を検出してそのスプール２の回転状態を検出することができる。
【００４４】
ウェビング引き出し検知部４０の実際の動作について簡単に説明する。通常のモータ５の駆動によりウェビングＷが巻き取られている際に、乗員がそのウェビングＷの巻き取りを阻止したりウェビングＷを引き出すと、スイッチプレート４１が僅かに回動し、リミットスイッチ４４がＯＮ状態となる。このトリガーによりモータ駆動が停止するので、それ以後乗員はウェビングＷを巻取装置１から軽く引き出すことができる。このウェビング引き出し検知部４０とスプール回転検知部５０のいずれかの検知部によりウェビングＷの引き出しが検出されると、モータ駆動が停止する。ウェビングＷの引き出しが停止したら、モータ５がＯＮとなり、ウェビングＷの巻き取りが再開される。
【００４５】
このように、ウェビング引き出し検知部４０とスプール回転検知部５０とはともに、スプール２の回転を検知し、それをトリガーとして回路に取り入れることができる。たとえば図８に示したように、両検知部のＯＲ状態によりＣＰＵ電源ＰｗをＯＮとしてもよい。
【００４６】
［爪機構の構成と動作］
遊星ギアユニット３０の内歯ギア３４の外周に形成されたラチェット歯３６に係止される爪機構７０について、代表的な２種類の構成例を説明し、併せてその変形例について簡単に説明する。
（第１構成例）第１構成例としての爪機構７０の構成とその動作について図２及び図９各図を参照して説明する。爪機構７０はケーシング１１の内面に保持されたソレノイド７１と回転構造のレバーストッパ７５とから構成されている。図９（ａ）に示したように、ソレノイド７１は励磁されることでそのコイル内をスライドするプランジャ７２を有している。ソレノイド７１は通電状態（励磁状態）ではコイル内に引き込まれ、励磁が解除された状態ではスプリング７３により初期状態まで引き出されるようにスライドする。
【００４７】
このプランジャ７２近傍には回転軸に軸支されたレバーストッパ７５が配置されている。このレバーストッパ７５は回転軸と同心の円板部７５ａに主動レバー７６と従動レバー７７が回転軸に関して所定の角度をなして一体的に形成された形状からなる。このうち主動レバー７６は図示したように、レバー先端７６ａがプランジャ７２先端まで延在し、初期状態においてスプリング７３によってプランジャ７２の先端７２ａ側に付勢され、その位置が保持されている。従動レバー７７の近傍には円板部７５に形成された回転軸を介して回動可能に取り付けられた係止爪７８が取り付けられている。この係止爪７８は、初期状態において円板部７５を周回して装着された線材バネ７９によって従動レバー７７に押圧されるように一体化した状態にある。この係止爪７８の先端にはさらに逃げ突起７８ａが形成されている。
【００４８】
ここで、爪機構７０による内歯ギア３４のラチェット歯３６への係止及びその解除時の動作について図９（ｂ）、図９（ｃ）を参照して説明する。種々のウェビング巻き取りモードの１モードとして大トルクによるウェビングＷの急激な巻き取り動作がある。この急激なウェビング巻き取り動作は第２減速機構１０Ｂを経由してモータ５の回転トルクを遊星ギア３２のキャリア３３の減速回転により直接スプール２に伝達して実現するようになっている。このため、前述したように遊星ギアユニット３０のうち、内歯ギア３４の外周に形成されたラチェット歯３６を爪機構７０で係止し、内歯ギア３４の回転をロックする必要がある。
【００４９】
図９（ｂ）はソレノイド７１に通電され、プランジャ７２がソレノイド７１のコイル内に引き込まれた状態を示している。このプランジャ７２の引き込みと同時にプランジャ先端７２ａに押されてレバーストッパ７５の主動レバー７６がＣＣＷ方向に回動し、これに伴い円板部７５に突設された従動レバー７７と一体となった係止爪７８の一部がラチェット歯３６の回転方向からラチェット歯３６の谷に係止される。これにより内歯ギア３４のＣＷ方向への回転がロックされ、この内歯３７に噛合した遊星ギア３２がＣＣＷ方向に自転しながら公転する。この公転に伴い、キャリア３３もスプール２を大減速比でスプール軸１５回りに回転させることができる。
【００５０】
この状態から内歯ギア３４のロックを解除する際のレバーストッパ７５の動作について説明する。内歯ギア３４の回転がロックされた状態からソレノイド７１の励磁を解除するとプランジャ７２がコイルから抜けるように伸長し、レバーストッパ７５の主動レバー７６はＣＷ方向に回動する。これと同時に従動レバー７７も回動する。このとき係止爪７８はラチェット歯３６に所定の押圧力で当接しているため、従動レバー７７が回動しても係止爪７８とラチェット歯３６との係止状態は保持されている。さらに円板部７５が回動すると、係止爪７８は線材バネ７９の復元力により逃げ突起７８ａの根元部を支点としてラチェット歯３６の頂点を乗り越えるように従動レバー７７側に回動する。これによりラチェット歯３６との係止が解かれる。
【００５１】
（第２構成例）第２構成例としての爪機構１７０の構成とその動作について図１０及び図１１各図を参照して説明する。爪機構１７０は図１０及び図１１（ａ）に示したように、リテーナプレート１２０の内面に保持されたソレノイド１７１と、ソレノイド１７１のプランジャ７２の伸縮動作に追従して動作可能なレバー１７５と、レバー１７５の動作によりその一部がラチェエト歯３６に係止する第１パウル１８０と、第１パウル１８０の回動に伴い第１パウル１８０と同様に先端部でラチェエト歯３６を係止する第２パウル１８２から構成されている。
【００５２】
ソレノイド１７１は励磁されることでそのコイル内をスライドするプランジャ１７２を有している。プランジャ１７２は通電状態（励磁状態）ではコイル内に引き込まれ、励磁が解除された状態では解放スプリング１９０及び第２パウルの動作により初期状態まで引き出されるようにスライドする。
【００５３】
このプランジャ１７２の先端近傍には回転軸１８４に軸支されたレバー１７５が配置されている。このレバー１７５は回転軸１８４と同心の軸部１７５ａに主動レバー１７６と、従動レバー１７７が所定の角度をなして一体的に形成された形状からなる。このうち主動レバー１７６は図示したように、二股形状をなしたレバー先端１７６ａがプランジャ１７２の細径部１７２ａに係止され、プランジャ１７２の伸縮動作に追従して主動レバー１７６が揺動し、レバー１７５全体が回転軸１８４回りに回動するようになっている。
【００５４】
従動レバー１７７の下面には長孔１８６に沿って解放スプリング１９０の付勢力により移動可能に支持された第１パウル１８０が配置されている。長孔１８６はスプール軸１５の中心軸を中心とする緩い曲率をなす。この第１パウル１８０は略弓形をなし、後端部分に連結された解放スプリング１９０により長孔１８６に沿ってＡ方向に付勢されている。さらにその一部に形成された切欠部分には回転軸１８８に軸支された第２パウル１８２先端側の半分がはまり込むようにして配置されている。
【００５５】
ここで、爪機構１７０による内歯ギア３４のラチェット歯３６への係止及びその解除時の動作について図１１（ｂ）〜図１１（ｄ）を参照して説明する。第１構成例と同様に、大トルクによるウェビングＷの急激な巻き取り動作を例に説明する。この急激なウェビング巻き取り動作は前述したように第２減速機構１０Ｂを経由してモータ５の回転トルクを遊星ギア３２のキャリア３３の減速回転により直接スプール２に伝達して実現する。このため、前述したように遊星ギアユニット３０のうち、内歯ギア３４の外周に形成されたラチェット歯３６を爪機構１７０で係止し、内歯ギア３４の回転をロックする必要がある。
【００５６】
図１１（ｂ）はソレノイド１７１に通電され、プランジャ１７２がソレノイド１７１のコイル内に引き込まれた状態を示している。このプランジャ１７２の引き込みと同時にプランジャ先端１７２ｂに押されてレバー１７５の主動レバー１７６がＣＣＷ方向に回動し、これに伴い従動レバー１７７も軸部１７５ａ回りに回動するが、このとき従動レバー１７７は、その下面に当接している第１パウル１８０を解放スプリング１９０の付勢力に打ち勝ってＣＣＷ方向に回動させ、第１パウル１８０の下面に形成された係止爪１８０ａがラチェット歯３６の回転方向からラチェット歯３６の谷に係止される。
【００５７】
図１１（ｃ）に示したように、この状態で内歯ギア３４が回転軸１５（スプール軸）回りのＣＷ方向へ回転すると、第１パウル１８０全体が解放スプリング１９０を押し縮めるように回転軸１５回りに長孔１８６に沿ってＣＷ方向へ回動する。このとき第１パウル１８０の上面は従動レバー１７７で押圧規制されているため、係止が解かれることはない。これと同時に第１パウル１８０の切欠１８０ｂの一部が第２パウル１８２の先端１８２ａを押圧し、第２パウル１８２を回転軸１８８回りにＣＣＷ方向に回動させる。これにより内歯ギア３４のＣＷ方向への回転がロックされ、この内歯３７に噛合した遊星ギア３２がＣＣＷ方向に自転しながら公転する。この公転に伴い、キャリア３３もスプール２を大減速比でスプール軸１５回りに回転させることができる。
【００５８】
次に、図１１（ｄ）を参照して内歯ギア３４のロックを解除する際のレバー１７５及び第１パウル１８０、第２パウル１８２の動作について説明する。内歯ギア３４の回転がロックされた状態からソレノイド１７１の励磁を解除すると、プランジャ１７２をコイル内に保持する力が失われ、解放スプリング１９０の伸長方向（矢印Ａ方向）への付勢力により、従動レバー１７７が回転軸１８４回りにＣＷ方向に回動する。これにより第１パウル１８０をラチェット歯３６に押圧係止させていた規制力が解除され、第１パウル１８０は回転軸１５回りのＣＣＷ方向へ回動し、切欠端１８０ｃが第２パウル１８２の突状部１８２ｂに当接して第２パウル１８２を回転軸１８８回りにＣＷ方向へ回動させ、内歯ギア３４のラチェエト歯３６と２個のパウル１８０、１８２との係止はすべて解除され、内歯ギア３４のロックが完全に解かれる。
【００５９】
以上に述べた第２構成例によれば、特にロック解除時において、モータを逆回転させたりすることなく、解放スプリングの付勢力を利用して動作する２個のパウルにより、パウルとラチェット歯との係止を容易に解くことができる。
【００６０】
（爪機構の変形例）次に、第１構成例としての爪機構７０の変形例について簡単に説明する。図１２（ａ）には従動レバー７７が直接ラチェット歯３６に係止する変形例が示されている。この爪機構７０では従動レバー７７の先端にローラＲが取り付けられており、プランジャ７２が伸長して主動レバー７６、従動レバー７７が一体的にＣＷ方向に回動した際に、ローラＲの回転によりラチェット歯３６とレバー先端との摩擦を小さくし、レバー先端がラチェット歯３６から外れやすくしている。
【００６１】
図１２（ｂ）はギアドモータ９１の出力軸にアーム状ストッパ９２を取り付け、ギアドモータ９１の駆動によりストッパ９２（爪）を回動させるようにした例を示している。図１２（ｃ）はギアドモータ９１に対してラックピニオン機構９０を用いてラック９０ａ先端をラチェット歯３６に当接させる。図１２（ｂ）、図１２（ｃ）の場合、ギア駆動によりストッパを当接させるため、ストッパの確実な切放し動作が可能になる。
【００６２】
［減速機構間の駆動力伝達動作と滑り機構の動作］
次に、上述した各機構によって実現する第１減速機構１０Ａ及び第２減速機構１０Ｂにおける回転駆動力の伝達経路および滑り機構６０の動作について図１３〜図１５を参照して説明する。本実施の形態のＤＣモータ５では、駆動回路から出力される駆動パルス信号に応じてその回転数をオープンループ制御しているが、本実施の形態ではモータ５の回転数を３段階のデューティー比（２５，５０，１００％）で弱、中、強度の回転トルクでウェビング巻き取りを行うように制御回路を設計している。実際の使用状態とウェビング巻き取り設定との関係は後述する。まず、モータ５の回転が第１減速機構１０Ａを経由して小トルクのままスプール軸１５に伝達され、ウェビングＷが巻き取られる時の伝達経路における各伝達要素の動作について説明する。図１３（ａ）に示したように、ウェビング巻き取りのために、モータ５がＣＣＷ方向に低速回転すると、ギア１２を介して減速ギア１３が低速回転する。このとき減速ギア１３の回転トルクは凹所１３ａに取り付けられたロータリーダンパ１７のローター軸１８の設定トルク以下であるため、スプール軸入力ギア２０は減速ギア１３に対して相対回転せず減速ギア１３と一体的に回転し、減速ギア１３の回転トルクがそのままスプール２の巻き取り回転力として付与される。このときスプール２の回転に伴い、スプール２に一体的に嵌着されている遊星ギアユニット３０のキャリア３３、スプール軸１５の突出軸１５ａに遊嵌されている太陽ギア３１、内歯ギア３４が互いに相対回転せずにスプール２と一体的にＣＣＷ方向に回転する（図１４（ａ）参照）。
【００６３】
［伝達要素の構成及び動作］
次に、モータ５の回転が、大トルクを生じさせる第２減速機構１０Ｂを経由してスプール軸１５に伝達され、ウェビングＷが急速に巻き取られる時の伝達経路における各伝達要素の動作について説明する。図１３（ｂ）に示したように、ウェビング巻き取りのために、モータ５がＣＣＷ方向に設定された回転数で高速回転すると、ギア１２を介して減速ギア１３が所定の減速比で回転する。一方、図１４（ｂ）に示した遊星ギアユニット３０の太陽ギア３１は減速ギア１３と同数回転する。このとき内歯ギア３４の外周に形成されたラチェット歯３６には爪機構７０が係止しているので、内歯ギア３４の回転がロックされる。このため、遊星ギア３２と遊星ギア３２を軸支しているキャリア３３は太陽ギア３１の自転に伴い、ロックされた内歯ギア３４の内歯３７に噛合しながらＣＣＷ方向に公転する。キャリア３３の回転に伴ってソケット部３５で嵌合しているスプール軸１５の拡径部に大回転トルクが付与される。
【００６４】
このとき滑り機構６０として設けられているロータリーダンパ１７のローター軸１８の設定トルクを減速ギア１３の回転トルクが上回るため、スプール軸入力ギア２０と噛合するロータリーダンパ１７のギア１９が粘性抵抗を受けながら制動回転する。このように減速ギア１３側からの入力が滑り機構６０により遮断されることより、第１減速機構１０Ａ側に滑りが生じ、第１減速機構１０Ａの伝達経路と第２減速機構１０Ｂの伝達経路が直結することが回避される（図１３（ｂ）参照）。
【００６５】
［滑り機構の動作］
さらに、この滑り機構６０が動作する典型的な状態について図１５を参照して説明する。モータ５が低速回転し、ウェビングＷを巻き取っている最中に乗員がウェビングＷを押さえてその巻き取りを阻止したり引き出したりすると、スプール軸入力ギア２０は停止あるいはＣＷ方向に回転する。このときモータ５はＣＣＷ方向に回転している状態にあり、減速ギア１３のＣＣＷ方向の回転を阻止すると逆方向に負荷がかかり、その瞬間にロータリーダンパ１７のローター軸１８の設定トルクを上回ったスプール軸入力ギア２０はモータ回転方向と反対向き回転し、ローター軸１８のギア１９間に滑りが生じる。またウェビングＷが引き出されたことが引き出し検知部４０で検知されるので、モータ５の回転は停止する。これにより、乗員はウェビングＷを容易に引き出すことができる。
【００６６】
［装置全体の使用時における動作フロー］
以上の構成からなるシートベルト巻取装置の制御方法におけるモータ駆動モードについて、図１６〜図１８の動作フロー図及び図１９、図２０のウェビング巻き取り状態における各変化図を参照して説明する。図１６はウェビング巻き取り制御における動作フローを示したフローチャートである。図１７は各種の設定モードにおける処理動作フローを示したフローチャートである。図１８はベルト装着時における快適性向上のための動作フローを示したフローチャートである。
【００６７】
前述したようにシートベルト巻取装置１に使用されているＤＣモータ５は、その回転数を制御回路における電圧設定あるいはパルス信号設定により詳細に設定することができる。そのため、乗員がシートベルトを装着する際の様々な動作や、走行時に外部から受ける種々の信号に対応させたウェビング巻き取り動作モードを設定することで、きめの細かいシートベルト巻き取り動作を実現することができる。
【００６８】
以下に乗員が乗車時にシートベルトを装着してから、降車時にシートベルトを解装するまでの一連の動作状態のときに得られる状態信号と、走行時に得られる外部信号に対応した各モードにおける動作をモータの回転数設定と関係つけて説明する。
【００６９】
(1)乗車時、降車時（コンフォートモード）
通常、乗員は座席にすわると同時に、ピラー内等に格納されているシートベルトを引き出し、座席の反対側サイドにあるバックルにトングを装着する。このときウェビングＷの引き出しを巻取装置１のウェビング引き出し検知部４０が検知し、回路、ＣＰＵ電源ＰｗをＯＮ状態とする（ステップ１００，１１０）。シートベルト取り扱い動作ではなく、イグニションキーの操作等による外部信号により電源ＯＮとなるようにしてもよい。ウェビング引き出しを検知した状態信号により、モータ５は回転を停止し、ウェビング巻き取りは停止される（ステップ１２０，１３０）。その後、適正にトングがバックルに装着され、バックル７に内蔵されているバックルスイッチ８（図７参照）がＯＮになったら、余分に引き出されたウェビングＷの弛みをとり、ベルトフィットさせるためにモータ５が中速回転し、ウェビングＷの巻き取りを行う。これにより乗員の胸部から腹部にかけて圧迫感がない程度に弛みなくウェビングＷが掛け渡される。この結果、ベルトのスラッグを取り、乗員の体型に軽くフィットさせることができる（ステップ１５０）。このベルトフィットが終了したことを知らせる状態信号をもとに、さらにモータのトルクを小さくしたり、モータ駆動を停止してベルト装着による圧迫感を除去することができる。この状態から乗員が体を大きく前に傾けた場合等にはその動きに追従してウェビングが引き出され、引き出しが停止した時点から再度同様の動作でウェビングの巻き取りが行われる。なお、ウェビングＷ引き出しが途中で中断したという状態信号を検知した場合には、ウェビングＷが所定の駆動トルク値で巻き取られ、巻取装置１に格納される（ステップ１２５，１４５）。
【００７０】
トングがバックルに装着された状態で、乗員が前傾姿勢をとったりすると、ウェビングがさらに引き出されることになる。このときモータ５の運転は停止し、さらに前傾姿勢を止めた状態でウェビングの引き出しが中断した状態信号を受けると、モータが再度駆動し、ウェビングの巻き取りが再開される。その後ベルトフィットさせた後にモータの駆動トルク値を減少させたり、モータ駆動を停止させることができる。
【００７１】
さらに、乗員が車を降りる際には、トングを外した状態でウェビングＷは緩やかな速度で巻き取られ、ピラー内等に所定量だけ格納されるようにすることが必要である。その後、一定時間引き出し動作がないことが確認されたら、回路側からＣＰＵ電源ＰｗをＯＦＦする（ステップ１７０〜１９５）。
【００７２】
このようにして、乗員がシートベルトを装着する際の快適性を高めることができる。さらに、シートベルト装着時の快適性を向上させるために、具体的に以下のような動作を行うように制御することが好ましい。図１８及び図２０を参照して以下説明する。
(a)ベルト装着時の弛み防止従来は、シートベルトを装着した後にシートスライド等により座席を後ろに下げてもシートベルトの引き出しを検知しない。そこで、シートベルト装着時において所定の時間間隔でシートベルトの巻き取り動作を繰り返して行い、装着時にシートベルトがゆるんだ状態が生じないようにしている。具体的には図１８に示したように、シートベルトの引き出しが検知された場合には所定の巻き取りが行われるが（ステップ３００、３１０）、さらにシートベルトの引き出し、巻き取りが完了した後に一定時間経過した場合に（ステップ３２０、３３０）、再度巻き取り動作に入り（ステップ３１０）、巻き取り状態を判断し（ステップ３４０）、巻き取りが完了した後に（ステップ３５０）、再度、所定の時間間隔で検知ループが動作するようにした。これによりシートベルト装着時のベルト弛みを確実に解消することができる。
【００７３】
(b)ベルト装着時、ベルト引き出しから巻き取りへの移行時の不快感の低減本発明ではベルトフィット時にモータによる巻き取りが可能であるが、この場合、モータ駆動速度を調整することでベルトを装着した際に乗員の胸部等に加わる圧迫感等を緩和することができる。具体的には図２０に示したように、モータ速度を可変とすることで対応することができる。モータ速度を制御するにはＰＷＭ駆動あるいは駆動電圧を調整する等の公知のモータ速度制御により対応することができる。所定の間隔（たとえば１分ごと等）で行うことができる。また、このようなモータ速度制御を行う際、図２０に示した速度状態変化図に示したように、バックルがまだ装着されていない場合のシートベルトの引き出しに関しては引き出しを容易にするために、モータを停止し、シートベルトの張力を低減するようにしている。一方、バックル装着直後の巻き取りも素早く行うことが望ましいため、このときのモータ速度の立ち上げは従来通りとしている。
【００７４】
(2)走行時走行時には主に外部信号を検知して、信号に対応した駆動パルス信号を発生させモータ駆動を行う。走行時の緊急度等によって以下のようなモード設定が可能である。
(c)警告モードたとえば、走行時の前後車両の車間検知センサにより車間距離が設定距離より接近したような場合で、ドライバーにその状況を体感的に警告することを主目的とする。車間距離は車両スピード等に応じて多岐に設定することができるが、一定の車間距離以内に障害となる物体が存在した場合等に、ウェビングの巻き取りを行い、ドライバーに物体の存在、接近状態を体感させる。このとき自車の速度、物体との相対速度、変化率等を因子として用い、車庫入れ等のように壁等の対象に自分の操作で接近させるような場合には、警告モードにならないようにすることも考慮できる。
(d)ホールドモードウェビングを巻き込んで乗員の身体を保持（ホールド）するためのモードで、たとえば、上記警告モードより緊急性の高い状態を対象としたり、走行時にドライバーが居眠りをし、前屈みに倒れ込むようにしてシートベルトの引き出しがあったり、既存技術で実現している居眠り検知センサが居眠りを検知した場合等にドライバーの姿勢を正し、さらに覚醒させるための警報として機能する。その他、急カーブや悪路走行においてドライバーや乗員を座席にホールドさせて安全を図るためにウェビングの巻き取り動作信号を発生させることもできる。この場合の外部信号発生のトリガーとしてはＡＢＳ作動信号や操舵角センサ、路面センサ等による信号を利用することができる。
(e)プリテンションモード従来、衝突や急減速度を検知した場合にウェビングを所定量だけ巻き取り、乗員の拘束効果を高めることができるプリテンショナーがあるが、レーザーレーダー等の車間距離検知センサによる衝突回避不可能情報が得られた場合にはモータ駆動によりウェビングを急速に巻き込み、乗員の拘束保護を衝突に先立って行えるようにする。急速な巻き取りにおいて乗員が傷害を受けることのないような巻き込み速度等を設定することができ、２次的な傷害を防止することができる。
【００７５】
(3)チャイルドシート固定時チャイルドシートは通常、ウェビングを利用して座席に固定するようになっている。このとき、従来のシートベルト巻取装置では走行時にウェビングの緩みを防止する全量を引き出した状態でチャイルドシートを座席に固定する必要があった。そこで、チャイルドシートを座席に固定するための専用のモードを設定することが好ましい。たとえばチャイルドシートスイッチを設け、このスイッチがＯＮであるとき、比較的大トルクでチャイルドシートが座席に固定できるまでウェビングをきつく巻き取るようにする。
【００７６】
図１７は、上述した各モードに応じた処理手順を示した動作フローチャートである。走行時あるいはチャイルドシート固定時に外部信号から各モードに適合する信号が制御回路に入力されると、各モードに対応したウェビング巻取速度、巻取時間が設定される（ステップ３１０，３２０，３３０）。その後減速機構１０の切り替えのために、減速機構切替をＯＮ状態（爪機構７０のソレノイド通電）にし、モータ駆動が上述の第２減速機構１０Ｂを介してスプール２に伝達されるようにする（ステップ３４０）。所定モードでのウェビングＷ巻き取りを行う（ステップ３５０）。上記モードの解除信号あるいは安全確認された信号が入力された場合に、減速機構切替ＯＦＦする（ステップ３７０）。チャイルドシート固定時には、チャイルドシートのスイッチＯＮが確認されたら、減速機構切替をＯＮ状態にし、ウェビングＷを一定時間だけ巻き取る（ステップ４００〜４２０）。また、チャイルドシートを取り外す場合、トングをバックルから外した時点でバックルスイッチがＯＦＦ（ステップ４３０）となり、減速機構切替ＯＦＦ（ステップ３７０）を経てコンフォートモードに戻り、緩やかにウェビングが巻き取られる。
【００７７】
上述した各モードにおいて、モータの駆動信号はホールドモード、警告モードの場合は中程度回転トルクが得られるように設定し、プリテンションモードの場合は強度回転トルクが得られるようにその回転数を設定することが好ましい。
【００７８】
図１９は、以上の状態を制御にフィードバックするために計測されたウェビングの巻き取りのためのモータ駆動のための状態信号電流、そのときのウェビングの繰り出し量及びウェビングを巻取装置に巻き取る張力の大きさとの関係を模式的に示したウェビング巻き取り状態変化図である。同図において、横軸は経過時間軸（ｔ）を示し、乗員の動作、走行状態等の時間経過の相対関係が確認できる程度の模式スケールで示したものである。各変化曲線において、信号電流はモータ駆動の状態を示しており、繰り出し量は巻取装置から繰り出されるウェビングの動きを示している。張力は乗員によるウェビングの引き出し力、モータ駆動による巻き込み力の状態を示している。同図から明らかなように、巻取装置から繰り出されたウェビングの状態に応じてモータ駆動を制御することで、ウェビング張力を適正な値に調整することができる。
【００７９】
［各構成部品の変形例］
（減速機構の変形例）
次に、上述した全体構造及び各減速機構１０の変形例について説明する。図２１（ａ）〜図２１（ｅ）は減速機構１０の全体構造の変形例を示した模式説明図である。図２１（ａ）では、第１減速機構１０Ａと第２減速機構１０Ｂを独立して設け、モータ５からの回転トルクの伝達を伝達ギア７０の切替により切り替えるようにしている。この伝達ギア７０の移動はギア軸を図示したようにスライドさせたり、軸方向に移動させたりすることで実現できる。この場合には第２減速機構１０Ｂに滑り機構６０を介さないので大トルク回転を効率よく出力することができる。さらに、図２１（ｂ）に示したように切替ギアに代えてソレノイド７１の動作によりモータ５の連結を滑り機構６０側と第２減速機構１０Ｂ側に切り替えることもできる。図２１（ｃ）では上述した本実施の形態に代え第２減速機構１０Ｂと滑り機構６０との間に切替ギア７０を配置した変形例を示した。さらに、図２１（ｄ）に示したように、第１減速機構１０Ａ及び第２減速機構１０Ｂとの間でモータ駆動を直接切り替えるとともに、スプール２と滑り機構６０との間をソレノイド７１の動作により連結、切断したりするようにもできる。図２１（ｅ）はモータ５の回転トルクを第１減速機構１０Ａと滑り機構６０を介してスプール２に伝達した単一伝達経路から構成された変形例である。この装置では上述したコンフォートモードでの操作性を重視し、緊急時の大トルクのウェビング巻き取り動作を他の付勢手段に負担させることが好ましい。
【００８０】
図２２各図は、第１減速機構１０Ａの変形例を示した概略説明図である。モータ回転軸からの回転トルクを確実にウェビング巻き取り軸等の出力軸２５に伝達させるようにすることを基本とし、本実施の形態に示した構造に代えてモータの出力軸に対してプーリ６Ｐを配置し、伝達ベルト２２を介してモータ駆動を減速機構等の出力軸２５の駆動に伝達させている。（図２２（ａ）参照）。伝達ベルト２２としてはタイミングベルトの他、各種断面形状（Ｖ、平）ベルト、樹脂ワイヤ、スチールワイヤ、チェーン等を採用することができる。
【００８１】
モータからの減速機構として、遊星ギアユニット２３を用いることもできる。その場合には遊星ギアを支持する遊星ギア側（キャリア２３ａ）あるいは内歯ギア２３ｂの内歯を入力軸とし、そのトルクを出力軸２５へ伝達させることができる（図２２（ｂ）、（ｃ）参照）。
【００８２】
また、上述の第１減速機構から大トルクを得る第２減速機構への切替える伝達機構について説明する。図２３（ａ）は、遊星ギア２３のキャリア２３ａをロックして太陽ギアからの入力を内歯ギア２３ｂの内歯から出力軸２５に出力するようにした変形例を示している。図２３（ｂ）、（ｃ）は同軸的に配置された入力軸２４から出力軸２５への伝達を、中間ギア２６によって実現するようにしている。このとき中間ギア２６はクラッチ操作により継断動作を行える。入力軸２４と出力軸２５とが異なるような配置において、中間ギア２６を介したギアトレインを構成するようにしてもよい。
【００８３】
図２４（ａ）、（ｂ）は内歯ギア３４の近傍に、内歯ギア３４とほぼ同径のフランジ９３を配置し、このフランジ９３をガイドとした電磁コイル９４を巻回し、ギア３４とフランジ９３との間隙に磁性粉体９５を充填した磁性粉体クラッチの構成例を示している。この磁性粉体クラッチでは、通電を行いコイル９４を励磁状態にし、間隙に充填された磁性粉体９５を固体化させ、内歯ギア３４の回転をロックすることができる。図２４（ａ）は磁性粉体クラッチを内歯ギア３４の側面に沿って配置した例を示しており、（ｂ）は磁性粉体クラッチを内歯ギア３４の外周面に沿って配置した例を示している。
【００８４】
（滑り機構の変形例）
次に滑り機構６０の変形例について説明する。本実施の形態では、ロータリーダンパ１７を用いた滑り機構６０を採用したが、トルクリミッタとして摩擦機構、バネ付勢機構を用いた種々の変形例を挙げることができる。図２５（ａ）は、板バネ６３によりディスクが一定のトルク以下で回転しないようにした滑り機構６０である。内側ディスク６１のフランジに取り付けられた板バネ６３の先端に取り付けられた制動パッド６４で外側ディスク６２のフランジ６２ａを押圧して摺動抵抗が付加されているので、外側ディスク６２のトルクが一定以上になるまで内外のディスク６１、６２は一体的に回転する。図２５（ｂ）は、内側ディスク６１の外周にリング状ベーン６６を設け、このベーン６６をシリコンオイル等を封入したリング状オイル室６５を有する外側ディスク６２と同心的に組み立てた変形例である。この場合にもベーンと回りのオイルの粘性抵抗の一定値を越えるまで内外ディスク６１、６２は一体回転する。
【００８５】
さらに、図２５（ｃ）に示したように、各種の滑り機構６０を外周リング状に構成し、滑り機構６０の内側空間に巻き締めた状態の渦巻バネ６７を装着することで、所定のトルクを越えるまでバネ付勢による回転トルクが外側リング６２に伝達されるが、一定トルクを越えると滑り機構６０が機能し、バネ付勢による回転トルクが遮断される滑り機構６０を実現できる。図２５（ｄ）に示したように渦巻バネ６７に代えて所定のコイル圧縮バネ６７Ｃを内蔵させて所定回動角に応じて付勢力が発揮できるようにしてもよい。
【００８６】
図２６各図に示した滑り機構６０は外周ディスク６２と、外周ディスク６２と同心的に配置された内周ブシュ６１との間に設けられている。図２６（ａ）の滑り機構６０では、外周ディスク６１の内周縁には１／４円周分の遷移曲線部６２ｂと段差部６２ａとが設けられており、鋼球６８がその遷移曲線６２ｂの終端部に収容されている。内周ブシュ６１の一部には直径方向切欠が設けられ、その内部に収容されたスプリングＳにより鋼球６８が遷移曲線部６２ｂの終端位置に保持されている。この滑り機構６０では設定トルク以下では鋼球６８が段差部６２ａを乗り越えられず、内周ブシュ６１と外周ディスク６２とは一体的に回転する。設定トルク以上の回転トルクが付与されると、鋼球６８が段差部６２ａを乗り越えてスプリングＳに押圧された状態で外周ディスク６２の内周面に沿って１回転し、遷移曲線部６２ｂから再度終端位置にはまる。
【００８７】
図２６（ｂ）には小径の内周ブシュ６１と外周ディスク６２との間にトルクリミッタとしてのスプリングＳが装着された変形例が示されている。同図に示したように、スプリングＳの外周端は外周ディスク６２の内周位置に形成された凹所６２ｄに納まっており、設定トルク以下で生じるスプリングの撓み変形ではこの凹所６２ｄから外れない。このため、内周ブシュ６１と、外周ディスク６２とは一体回転する。付与された回転トルクが設定トルクを越えるとスプリングＳ外周端は外周ディスク６２の内周面に沿って摺動しながら１回転する。そして、１周した状態で外周端が再び凹所６２ｄに納まる。
【００８８】
図２６（ｃ）には図２６（ａ）に類似した滑り機構６０が示されている。この滑り機構６０では弾性体球６９が使用されており、スプリングＳによる押圧により直径方向に圧縮変形し、外周ディスク６２の内周面に押し宛てられている。この内周ブシュ６１と外周ディスク６２間に設定トルク以上の回転トルクが発生すると、弾性体球６９はせん断変形して内周ブシュ６１と外周ディスク６２との一体化が解かれ、独立して回転する。
【００８９】
図２６（ｄ）は図２５（ａ）の変形例で、外周ディスク６２のフランジをネジ６１ｃの調整により間隔を設定可能な２枚の内周ブシュ６１ａ、６１ｂで挟持し、所定の抵抗トルクを得るようにした滑り機構６０を示している。必要に応じてネジ６１ｃにスプリング（図示せず）等を介装して内周ブシュ６１のディスクへの押圧力を調整することもできる。
【００９０】
（ウェビング引き出し検知部の変形例）
ウェビング引き出し検知部４０の変形例について説明する。上述した扇形のスイッチプレート４１（図８参照）に代えてウェビングの引き出しを検知するスイッチの変形例を図２７各図に示す。図２７（ａ）は、トリガー突起４６ａが形成されたリング４６と、このリング４６に所定の摺動抵抗をとって相対回転可能なブシュ４５とから構成された引き出し検知部４０を示している。ブシュ４５はスプール軸（図示せず）の回転を受けて直接回転する。回転トルクが摺動抵抗以下であるときにリング４６はブシュ４５と一体回転する。そしてトリガー突起４６ａによってリミットスイッチ４４はＯＮとなる。同図（ｂ）は締め輪として機能するリング状スプリング４７をブシュ４５に外嵌し、ブシュ４５とブシュ４５を締め付けるスプリング４７の付勢力との間の摩擦を利用してブシュ４５とスプリング４７とを一体回転させる段階で、リミットスイッチ４４をＯＮさせる引き出し検知部を示している。また、本実施の形態で用いた公知のリミットスイッチに代えて、通常の接点スイッチや、スイッチプレートやリングにスリットを設け、回転動作によってスリットを透過した光を受光するようにした光電センサ、金属製のスイッチプレートやリングの移動を検知可能な金属感知の近接センサー、磁界変化を検知するホール素子等、公知のセンサスイッチを利用することができることは言うまでもない。
【００９１】
（スプール回転検知部の変形例）
次に、スプール回転検知部について説明する。スプール回転検知部においては上述した可変抵抗により直接電圧変化を検出するだけでなく、この回転軸に沿ったエンコーダー形式の光電センサ及び引き出し検知にも利用可能なスリットの位置を検出する光電センサ、近接センサ、磁気ヘッドによってその位置を読み取る磁気検出センサ等を用いることができる。
【００９２】
（その他の構成）
また、本実施の形態では、モータとしてＤＣ（直流）モータを利用したが、可変速のモータであれば、公知の各種サーボモータ、たとえばステッピングモータ、超音波モータ、ＡＣモータ等とそれぞれのモータ駆動回路を用いることができ、これにより上述の巻き取り動作を実現できることはいうまでもない。また、このモータ駆動のための制御基板はモータを設置した際に生じるウェビング巻き取り部の下の空きスペースに、モータと隣接するようにして据えることがハーネスの配線上の理由等により好ましい。しかし、フレーム内において設置可能な範囲であれば適当な位置に設置してよいことはいうまでもない。
【００９３】
以上の説明に示したように、乗員がシートベルトを装着した状態で種々の状況に応じてシートベルトの巻き取り機能を提供できるが、各機能の設定値は工場出荷時の標準値として設定されている。そこで、乗員は各種のモードをあらかじめ擬似的に体験（シミュレート機能）し、その効果の度合いを好みに応じて変更することができる。この操作は例えば装備されたナビゲーションシステムのディスプレイの表示に従って行うこともできるし、専用のコントローラによっても行えるようにすることが好ましい。
【００９４】
また、警告モード、プリテンションモード等に警告音、警告メッセージを同時に発生させることに加えて、コンフォートモードにおいても、各種の効果音を発生させたり、動作確認画像をディスプレイ表示させることで、ユーザーフレンドリーな機器としての使い勝手を向上させることができる。
【００９５】
以上の設定は、車体内に配線された所定のワイヤーハーネスを介し、運転席とそれ以外の座席を特定したり、全席に同時対応させるようにして行うことができる。また、通信回線を介して各座席のモード制御を行うことも可能である。たとえば、上述のディスプレイや、リモートコントローラ等からの指令により、各座席に装備された巻取装置の設定モードを、運転者あるいは同乗者が任意に公知の通信プロトコルによる通信回線を介して設定することができる。このとき取り扱われるデータとしては座席特定のＩＤ、各種モード設定コマンド（警報、ホールド、一時停止（ウェイト）、解除、チャイルドシート固定）等を盛り込むことができる。
【符号の説明】
【００９６】
１  シートベルト巻取装置
２  スプール
３  ベースフレーム
５  モータ
９  制御部
１０  減速機構
１０Ａ  第１減速機構
１０Ｂ  第２減速機構
１３  減速ギア
１５  スプール軸
１７  ロータリーダンパ
２０  スプール軸入力軸
３０  遊星ギアユニット
３１  太陽ギア
３２  遊星ギア
３３  キャリア
３４  内歯ギア
３６  ラチェット歯
４０  ウェビング引き出し検知部
４１  スイッチプレート
４４  リミットスイッチ
５０  スプール回転検知部
５２  減速ギアトレイン
６０  抵抗トルク手段（滑り機構）
７０，１７０  切替手段（爪機構）
７１，１７１  ソレノイド
７６，１７６  主動レバー
７７，１７７  従動レバー
７８  係止爪
１８０  第１パウル
１８２  第２パウル
１９０  解放スプリング
Ｗ  ウェビング
【図１】
2010030592.tif 000003
【図２】
2010030592.tif 000004
【図３】
2010030592.tif 000005
【図４】
2010030592.tif 000006
【図５】
2010030592.tif 000007
【図６】
2010030592.tif 000008
【図７】
2010030592.tif 000009
【図８】
2010030592.tif 000010
【図９】
2010030592.tif 000011
【図１０】
2010030592.tif 000012
【図１１】
2010030592.tif 000013
【図１２】
2010030592.tif 000014
【図１３】
2010030592.tif 000015
【図１４】
2010030592.tif 000016
【図１５】
2010030592.tif 000017
【図１６】
2010030592.tif 000018
【図１７】
2010030592.tif 000019
【図１８】
2010030592.tif 000020
【図１９】
2010030592.tif 000021
【図２０】
2010030592.tif 000022
【図２１】
2010030592.tif 000023
【図２２】
2010030592.tif 000024
【図２３】
2010030592.tif 000025
【図２４】
2010030592.tif 000026
【図２５】
2010030592.tif 000027
【図２６】
2010030592.tif 000028
【図２７】
2010030592.tif 000029